(57)【要約】【課題】固定子と可動部材とを具備するヘリコプタ用の電気的接続装置を提供する。【解決手段】固定子（１５）が、前記ヘリコプタ（１）の固定部品（１１）へ剛に接続されかつ第一電気接点手段（１６）を有していて、さらに可動部材（１７）が、前記ヘリコプタ（１）の回転部材（１２）によりそれぞれの軸（Ａ）の周囲を回転し、かつ前記第一電気接点手段と滑動可能に係合している第二電気接点手段（１８）を有している。前記可動部材が、前記ヘリコプタの前記回転部材へ接続するための剛な締付手段（２３，２５，２７）を備えているので、固定子と可動部材との間の軸受を必要としていない。【選択図】      図２
2004161237.tif 000002
【特許請求の範囲】
【請求項１】
固定子（１５）と可動部材（１７）とを具備するヘリコプタ（１）用の電気的接続装置（２）であって、固定子（１５）が、前記ヘリコプタ（１）の固定部品（１１）へ剛に接続されかつ第一電気接点手段（１６）を有していて、さらに可動部材（１７）が、前記ヘリコプタ（１）の回転部材（１２）によりそれぞれの軸（Ａ）の周囲を回転し、かつ前記第一電気接点手段（１６）と滑動可能に係合している第二電気接点手段（１８）を有している、ところの電気的接続装置において；
前記可動部材（１７）が、前記ヘリコプタ（１）の前記回転部材（１２）へ接続するための剛な締付手段（２３，２５，２７）を備えていることを特徴とする電気的接続装置。
【請求項２】
前記固定子（１５）及び前記可動部材（１７）がお互いに同軸的に取りつけられていることと、前記可動部材（１７）が前記固定子（１５）と前記回転部材（１２）との間に半径方向にはさまれていることとを特徴とする、請求項１に記載の電気的接続装置。
【請求項３】
前記剛な締付手段（２３，２５，２７）が、前記回転部材（１２）と前記可動部材（１７）の対向端部（２１）それぞれとの間に押し込まれた二つのブッシュ（２３）を備えていることを特徴とする、請求項２に記載の電気的接続装置。
【請求項４】
前記剛な締付手段（２３，２５，２７）が、前記二つのブッシュ（２３）を前記可動部材（１７）の前記端部（２１）それぞれに把持するための多数のボルト（２５）を備えていることを特徴とする、請求項３に記載の電気的接続装置。
【請求項５】
前記可動部材（７）の前記端部（２１）が、お互いに向けてテーパの付いている円錐第一面（２２）により前記回転部材（１２）に向かっての境界となっていることと；前記二つのブッシュ（２３）が、前記第一面（２２）と同一形状でありかつ前記第一面（２２）と係合している円錐第二面（２４）により、前記可動部材（１７）に向かっての境界となっていることと；を特徴とする、請求項３又は４に記載の電気的接続装置。
【請求項６】
固定部品（１１）と、前記固定部品（１１）に対して回転している少なくとも一つの回転部材（１２）と、前記回転部材（１２）及び前記固定部品（１１）を電気的に接続するための電気的接続装置と、を具備しているヘリコプタであって；
電気的接続装置（２）が固定子（１５）と可動部材（１７）とを具備していて、固定子（１５）が、前記ヘリコプタ（１）の固定部品（１１）へ剛に接続されかつ第一電気接点手段（１６）を有していて、さらに可動部材（１７）が、前記ヘリコプタ（１）の回転部材（１２）によりそれぞれの軸（Ａ）の周囲を回転し、かつ前記第一電気接点手段（１６）と滑動可能に係合している第二電気接点手段（１８）を有している、ところのヘリコプタにおいて；
前記可動部材（１７）が、前記ヘリコプタ（１）の前記回転部材（１２）へ接続するための剛な締付手段（２３，２５，２７）を備えていることを特徴とするヘリコプタ。
【請求項７】
前記固定子（１５）及び前記可動部材（１７）がお互いに同軸的に取りつけられていることと、前記可動部材（１７）が前記固定子（１５）と前記回転部材（１２）との間に半径方向にはさまれていることを特徴とする、請求項６に記載のヘリコプタ。
【請求項８】
前記剛な締付手段（２３，２５，２７）が、前記回転部材（１２）と前記可動部材（１７）の対向端部（２１）それぞれとの間に押し込まれた二つのブッシュ（２３）を備えていることを特徴とする、請求項７に記載のヘリコプタ。
【請求項９】
前記剛な締付手段（２３，２５，２７）が、前記二つのブッシュ（２３）を前記可動部材（１７）の前記端部（２１）それぞれに把持するための多数のボルト（２５）を備えていることを特徴とする、請求項８に記載のヘリコプタ。
【請求項１０】
前記可動部材（７）の前記端部（２１）が、お互いに向けてテーパの付いている円錐第一面（２２）により前記回転部材（１２）に向かっての境界となっていることと；前記二つのブッシュ（２３）が、前記第一面（２２）と同一形状でありかつ前記第一面（２２）と係合している円錐第二面（２４）により、前記可動部材（１７）に向かっての境界となっていることと；を特徴とする、請求項８又は９に記載のヘリコプタ。
【請求項１１】
前記固定子（１５）が、駆動装置（６）とヘリコプタ（１）の回転翼（５）との間にはさまれた動力トランスミッション装置（８）の外部ケーシング（１１）に固定的に取りつけられていることと；前記回転部材が前記トランスミッション装置（８）のシャフト（１２）であることと；を特徴とする、請求項６−１０のいずれか一項に記載のヘリコプタ。
【請求項１２】
前記第一電気接点手段が多数の放射状の接触ブレード（１６）を備えていることと；前記第二電気接点手段が対応する前記接触ブレード（１６）に滑動可能に係合している多数の環状導電トラック（１８）を備えていることと、を特徴とする、請求項６−１１のいずれか一項に記載のヘリコプタ。
【発明の詳細な説明】
【０００１】
【発明の属する技術分野】
本発明は、ヘリコプタ用の電気的接続装置とそのような電気的接続装置を備えたヘリコプタとに関するものである。より詳細には単に例示として以下の説明のとおりであって、電気的接続装置は塔載計器を、尾部回転翼に取りつけられた防氷装置か、あるいは尾部回転翼の運転パラメータを測定するための試験飛行センサかへ接続するようになっている。
【０００２】
【従来の技術】
前述のタイプの接続ユニットは実質的に軸対称の固定子と可動部材とを備えたものとして公知であって、その固定子は多数の放射状接触ブレードを有しており、その可動部材は、固定子により同軸的に支持され、ヘリコプタの尾部回転翼駆動手段により回転され、さらに固定子と可動部材とを電気的に接続するために接触ブレードと滑動可能に係合する環状導電トラックを有している。
【０００３】
より詳しくは、固定子は通常ヘリコプタの尾部回転翼ハブと駆動装置との間にはさまれている動力トランスミッションの外部ケーシングに剛に固定されている。
【０００４】
他方で、可動部材は、多数の軸受手段で固定子により半径方向に軸支されていて、かつ尾部回転翼トランスミッション装置のシャフトにより回転されている。
【０００５】
前述のタイプの接続装置の主な欠点はつぎのとおりであって、運転による摩耗が可動部材を軸支している軸受の接触している部品間のあそびをもたらし、従って固定子と可動部材との相対位置が変化し、導電トラックと滑動接点との間の電気的接続が不安定になるかあるいは遮断されることである。
【０００６】
【発明が解決しようとする課題】
本発明の目的は、公知の接続装置にかかわる前述の欠点に対する簡単で低コストの解決方法を提供するヘリコプタ用の電気的接続装置を提供することである。
【０００７】
【課題を解決するための手段】
本発明において、固定子と可動部材とを具備するヘリコプタ用の電気的接続装置が提供されていて、固定子が、前記ヘリコプタの固定部品へ剛に接続されかつ第一電気接点手段を有していて、さらに可動部材が、前記ヘリコプタの回転部材によりそれぞれの軸の周囲を回転し、かつ前記第一電気接点手段と滑動可能に係合している第二電気接点手段を有している、ところの電気的接続装置において；前記可動部材が、前記ヘリコプタの前記回転部材へ接続するための剛な締付手段を備えていることを特徴とする電気的接続装置。
【０００８】
本発明はヘリコプタにも関するものであって；ヘリコプタは、固定部品と、前記固定部品に対して回転している少なくとも一つの回転部材と、前記回転部材及び前記固定部品を電気的に接続するための電気の接続装置と、を具備していて；電気の接続装置が固定子と可動部材とを具備していて、固定子が、前記ヘリコプタの固定部品へ剛に接続されかつ第一電気接点手段を有していて、さらに可動部材が、前記ヘリコプタの回転部材によりそれぞれの軸の周囲を回転し、かつ前記第一電気接点手段と滑動可能に係合している第二電気接点手段を有している、ところのヘリコプタにおいて；
前記可動部材が、前記ヘリコプタの前記回転部材へ接続するための剛な締付手段を備えていることを特徴とするヘリコプタ。
【０００９】
これに限定するものではないが、本発明における好適な実施例を添付図を参照して例示として以下に説明する。
【００１０】
【発明の実施の形態】
図１において符号１は、本発明にもとずく電気的接続装置２（図１及び２）を有しているヘリコプタ全体を示めしている。
【００１１】
公知なようにヘリコプタ１は、胴体４の中央上部に取りつけられた主回転翼３と、尾部回転翼５とを備えていて、両翼ともそれぞれのトランスミッション装置７，８を介して駆動装置６により駆動されている。
【００１２】
接続装置２はヘリコプタ１の固定部と可動部−例示として尾部回転翼５とを電気的に接続するために使用される。
【００１３】
例示において、接続装置２は塔載計器（図示されていない）を、尾部回転翼に取りつけられた防氷装置か、あるいは尾部回転翼５の運転パラメータを測定するための試験飛行用センサへ接続するようになっている。
【００１４】
図１に示めすように、尾部回転翼５が、トランスミッション装置８により出力部材（図示されていない）へ角度をつけて取りつけられた中心ハブ９と；ハブ９に取りつけられかつハブ９から半径方向に突出した多数のブレード１０とを備えている。
【００１５】
図２において接続装置２が、軸Ａを有しいて、かつトランスミッション装置８の外部ケーシング１１と、尾部回転翼５のハブ９へ角度をつけて接続された、トランスミッション８のシャフト１２との間に取りつけられている。
【００１６】
より詳しくは、接続装置２が実質的に回転子１５と可動部材１７とを備えていて；その固定子１５は、例えばねじ（図示されていない）によりトランスミッション装置８のケーシング１１へ固定的に接続されかつ多数の接触ブレード１６を有しており；その可動部材１７は、シャフト１２により軸Ａ周囲を回転されかつ多数の並行している導電トラック１８を有し、その環状導電トラック１８はそれぞれの接触ブレード１６と滑動可能に係合している。
【００１７】
固定子１５は、実質的に円筒状スリーブ形状であって、かつ可動部材１７を介してシャフト１２周囲に延在している。
【００１８】
固定子１５が、それぞれのアンギュラカバー（ａｎｇｕｌａｒ  ｃｏｖｅｒ  ）２０により外側で閉止された、真反対に対向している二つのアンギュラ貫通開口部（ａｎｇｕｌａｒ  ｔｈｒｏｕｇｈ  ｏｐｅｎｉｎｇ  ）１９を有していて、各々のアンギュラ貫通開口部は固定子１５から可動部材１７へ向かって半径方向に突出している多数の接触ブレード１６を有している。
【００１９】
より詳しくは、カバー２０の接触ブレード１６は、並行して配列されかつ軸Ａに平行に整列している。
【００２０】
本発明における重要な形態は、可動部材１７がシャフト１２に剛に固定されていて、半径方向にシャフト１２と固定子１５との間にはさまれていることである。
【００２１】
可動部材１７が、軸Ａを有する円筒状スリーブ形状であって、半径方向の外表面に導電トラック１８を有している。
【００２２】
可動部材１７が対向している端部２１において、それぞれの円錐面２２によりシャフト１２へ向かっての境界となっていて、その円錐面２２は、お互いに向けてテーパが付いていて、かつ可動部材１７とシャフト１２との間に押し込まれたそれぞれのブッシュ２３と係合している。
【００２３】
さらに詳しくは、ブッシュ２３が、シャフト１２に軸方向に取りつけられていて、かつそれぞれの円錐面２４により可動部材１７の端部２１へ向かっての境界となっていて、それぞれの円錐面２４は、円錐面２２と同一形状であって、かつ円錐面２２と係合している。
【００２４】
さらに詳しくは、ブッシュ２３がそれぞれ台形形状断面であって、台形の上底は、お互いに対面して配列されかつ下底と同じく軸Ａに対して半径方向に延伸していて、さらに台形の傾斜側面は可動部材１７の対応する面２２に接触して配列されている。
【００２５】
ブッシュ２３が、多数のボルト２５の手段によりシャフト１２と可動部材１７の対応する端部２１との間にきちっと取りつけられていて、そのボルト２５は、可動部材１５に形成された対応する穴を通して取りつけられかつ軸Ａに平行な軸を有している。
【００２６】
より詳しくは、ボルト２５が二つの環状部材２７を把持するようになっており、その環状部材２７は、シャフト１２に半径方向にルーズに取りつけられ、かつ可動部材１７の対向している両端と対応するブッシュ２３とに端面同士で係合している。
【００２７】
本発明によるヘリコプタ１と接続装置２との利点は前述の説明から明瞭である。
【００２８】
とくに、可動部材１７をトランスミッション８のシャフト１２へ剛にかつ直接的に取りつけることにより、可動部材１７はもはや軸受で固定子１５により半径方向に軸支される必要はないので、従って軸受は省いてもよいかもしれないので、接続装置２の構成部品の相対位置はより安定したものであり摩耗にさらされない。
【００２９】
前述の特許請求の範囲を逸脱することなく、説明し例示したヘリコプタ１と接続装置２を変更してもよいことは明瞭である。
【図面の簡単な説明】
【図１】図１は、本発明にもとずく接続装置を特徴とするヘリコプタの概略側面図を示めしている。
【図２】図２は、ヘリコプタの尾部回転翼へ接続されたトランスミッション装置へ取りつけられた、本発明にもとずく接続装置の拡大従断面図を示めしている。
【符号の説明】
１…ヘリコプタ
２…接続装置
１５…固定子
１６…第一電気接点手段
１７…可動部材
１８…第二電気接点手段
２３，２５，２７…締付手段
【図１】
2004161237.tif 000003
【図２】
2004161237.tif 000004
【外国語明細書】
2004161237.tif 000005
2004161237.tif 000006
2004161237.tif 000007
2004161237.tif 000008
2004161237.tif 000009
2004161237.tif 000010
2004161237.tif 000011
2004161237.tif 000012
2004161237.tif 000013
2004161237.tif 000014
2004161237.tif 000015
2004161237.tif 000016